(57)【要約】【課題】２層以上の記録層に情報が記録されている光ディスクから情報を再生する光ヘッド装置において、クロストークの影響を受けにくく、かつ信号再生系の負担を低減する。【解決手段】この発明の光ディスク装置１１は、光ディスクの第１および第２の記録層で反射された反射レーザ光を受光して再生信号を出力する光検出器２６の受光面を、集光レンズ２５の焦点位置から所定量ずらした位置に設けることで、それぞれの記録層から信号を再生する際の残りの記録層からの反射光により生じる層間クロストークの大きさの差を概ね２倍に抑制できることを特徴とする。【選択図】  図２
2006018877.tif 000002
【特許請求の範囲】
【請求項１】
所定の波長の光を出力する光源と、
この光源からの光を、少なくとも２層の記録層を有する記録媒体のいずれかの記録層に集光する対物レンズと、
少なくとも２層の記録層を有する記録媒体のいずれかの記録層で反射された光を受光して、その光の強度に対応する信号を出力する光検出器と、
この光検出器に、少なくとも２層の記録層を有する記録媒体のいずれかの記録層で反射された光を集光する集光レンズと、
を有し、
前記光検出器は、前記集光レンズの焦点位置から所定量ずれた位置に設けられることを特徴とする光ディスク装置。
【請求項２】
前記光検出器の位置は、記録媒体の一方の記録層で反射された光に対する他の一方の記録層からの反射光成分であるクロストーク量が、他の一方の記録層で反射された光に対する一方の記録層からの反射光成分であるクロストーク量の差が２倍より小さくなる位置であることを特徴とする請求項１記載の光ディスク装置。
【請求項３】
前記光源が出射する光の波長は、４４０ｎｍ以下であることを特徴とする請求項１または２記載の光ディスク装置。
【請求項４】
前記対物レンズの開口数ＮＡは、０．６５であることを特徴とする請求項１ないし３のいずれかに記載の光ディスク装置。
【請求項５】
前記記録媒体の記録層間の厚さは、１５μｍ〜２５μｍであることを特徴とする請求項１ないし４のいずれかに記載の光ディスク装置。
【請求項６】
焦点距離がｆｏで、波長が４００〜４１０ｎｍの光を、少なくとも第１の記録層と第２の記録層との間に中間層が設けられている記録媒体のいずれかの記録層に集光可能な対物レンズと、
焦点距離がｆｃで、記録媒体のいずれかの記録層で反射された光を、所定の位置に集光する集光レンズと、
この集光レンズにより所定の集束性が与えられた光を受光し、その光の強度に対応する信号を出力する受光面積Ａの受光部を有する光検出器と、
を有し、
前記対物レンズと前記集光レンズは、ｆｃ／ｆｏがＭで、中間層の厚さが１５μｍより厚いとき、前記記録層相互間の層間クロストークの大きさの差が２倍を超えることのないよう、Ａ／Ｍ２の値が所定の範囲内に規定されるとともに、前記光検出器の受光面が前記集光レンズの焦点位置に対してΔだけずれた位置に設けられることを特徴とする光ディスク装置。
【請求項７】
前記対物レンズの開口数ＮＡは、０．６５であることを特徴とする請求項６記載の光ディスク装置。
【請求項８】
記録媒体からの光を取り込む第１のレンズの焦点距離をｆｏ、    
照射された光の強度に対応する信号を出力する光検出器の受光面の面積をＡ、    
光検出器の受光面に光を集光する第２のレンズの焦点距離をｆｃ、    
とするとき、    
Ａ／Ｍ２の値を所定の大きさより小さく、かつ記録媒体の一方の記録層で反射された光に対する他の一方の記録層からの反射光成分であるクロストーク量が、他の一方の記録層で反射された光に対する一方の記録層からの反射光成分であるクロストーク量の差が２倍より小さくなる位置に、前記光検出器の受光面の位置を規定することを特徴とする、光を用いて記録媒体から情報を再生する装置の光検出器の配置方法。
【発明の詳細な説明】
【技術分野】
【０００１】
この発明は、２層以上の記録層に情報が記録されている光ディスクから情報を再生する際に、クロストークが少なく、信号再生系を簡素化できる光ディスク装置に関する。
【背景技術】
【０００２】
情報記録媒体として用いられる光ディスクには、ＣＤ、ＤＶＤ−ＲＯＭに代表される再生専用型、ＣＤ−Ｒ、ＤＶＤ−Ｒに代表される１回追記型、ＤＶＤ−ＲＡＭに代表され、コンピュータの外付けメモリや録再ビデオ（映像記録）に利用される書き換え可能型等がある。
【０００３】
今日、現行のＤＶＤ規格の光ディスクの記録容量を増大するために、記録層を２層以上とし、その記録層間の中間層の厚みを低減することが試みられている。この場合、記録層間の中間層の厚さを、現行のＤＶＤ規格のディスクに比較して、薄くすることが必要である。
【０００４】
ところで、中間層の厚さを薄くすると、層間のクロストークが増大することが知られている。また、一層目の記録層を再生している際に、残りの記録層（二層目）により生じるクロストークの大きさと、二層目の記録層を再生している際に、一層目により生じるクロストークの大きさと、の差（倍率）が大きく変化することが知られている。このことは、例えば特許文献１に記載されているような、フォーカス誤差検出方式として、「非点収差法」と「スポットサイズ法」の２つを組み合わせ、±１次回折光を利用する信号検出系を用いるような信号再生系において、０次光の効率の低下を引き起こし、検出能力を低下させる要因となる（例えば特許文献１参照）。
【特許文献１】特開２００２−１９０１３２
【発明の開示】
【発明が解決しようとする課題】
【０００５】
記録容量を増大するため、記録層を２層以上とするＤＶＤ規格の光ディスクのうちで、特に次世代ＤＶＤ（以下、ＨＤ  ＤＶＤと示す）と呼ばれる新規格のディスクにおいて、中間層の厚さを現行のＤＶＤ２層のＲＯＭディスク（ＤＶＤ−ＲＯＭ）に比べて薄くすると、層間クロストークが大きくなり、フォーカス誤差の検出方式によっては、好適な再生信号が得られない問題がある。
【０００６】
また、層間クロストークの差が大きい場合、信号再生系のダイナミックレンジを大きくする必要があり、信号再生系のコストが増大し、あるいはノイズレベルが増大する問題がある。
【０００７】
この発明の目的は、記録層が２以上である光ディスクから情報を再生する際に、記録層の層間のクロストークの影響を受けにくく、しかも信号再生系の負担が少ない光ディスク装置を提供することである。
【課題を解決するための手段】
【０００８】
この発明は、所定の波長の光を出力する光源と、この光源からの光を、少なくとも２層の記録層を有する記録媒体のいずれかの記録層に集光する対物レンズと、少なくとも２層の記録層を有する記録媒体のいずれかの記録層で反射された光を受光して、その光の強度に対応する信号を出力する光検出器と、この光検出器に、少なくとも２層の記録層を有する記録媒体のいずれかの記録層で反射された光を集光する集光レンズと、を有し、前記光検出器は、前記集光レンズの焦点位置から所定量ずれた位置に設けられることを特徴とする光ディスク装置を提供するものである。
【０００９】
また、この発明は、焦点距離がｆｏで、波長が４００〜４１０ｎｍの光を、少なくとも第１の記録層と第２の記録層との間に中間層が設けられている記録媒体のいずれかの記録層に集光可能な対物レンズと、焦点距離がｆｃで、記録媒体のいずれかの記録層で反射された光を、所定の位置に集光する集光レンズと、この集光レンズにより所定の集束性が与えられた光を受光し、その光の強度に対応する信号を出力する受光面積Ａの受光部を有する光検出器と、を有し、前記対物レンズと前記集光レンズは、ｆｃ／ｆｏがＭで、中間層の厚さが１５μｍより厚いとき、前記記録層相互間の層間クロストークの大きさの差が２倍を超えることのないよう、Ａ／Ｍ２の値が所定の範囲内に規定されるとともに、前記光検出器の受光面が前記集光レンズの焦点位置に対してΔだけずれた位置に設けられることを特徴とする光ディスク装置を提供するものである。
【００１０】
また、この発明は、記録媒体からの光を取り込む第１のレンズの焦点距離をｆｏ、照射された光の強度に対応する信号を出力する光検出器の受光面の面積をＡ、光検出器の受光面に光を集光する第２のレンズの焦点距離をｆｃ、とするとき、Ａ／Ｍ２の値を所定の大きさより小さく、かつ記録媒体の一方の記録層で反射された光に対する他の一方の記録層からの反射光成分であるクロストーク量が、他の一方の記録層で反射された光に対する一方の記録層からの反射光成分であるクロストーク量の差が２倍より小さくなる位置に、前記光検出器の受光面の位置を規定することを特徴とする、光を用いて記録媒体から情報を再生する装置の光検出器の配置方法である。
【発明の効果】
【００１１】
本発明によれば、フォーカス誤差検出方式によらずに、２以上の記録層を有する光ディスクから、安定に再生信号を得ることができる。また、２以上の記録層から再生信号を得る際に、クロストークの大きさを概ね２倍に抑えることができ、信号再生系の負担が低減可能である。
【発明を実施するための最良の形態】
【００１２】
以下、図面を参照して、この発明の実施の形態について詳細に説明する。
【００１３】
図１は、図２を用いて以下に説明するこの発明の光ヘッド装置による情報の記録または情報の再生に適した光ディスクの構成の一例を示す概略図である。
【００１４】
図１に示すように、光ディスク（記録媒体）１は、例えばポリカーボネートからなる第１の基板２上に、例えば相変化記録膜を含む第１の情報記録層３を有する。
【００１５】
第１の情報記録層３には、光ヘッド装置１１の半導体レーザ装置２０により出力されるレーザ光の波長に対して所定の透過率を示す中間層４が積層されている。中間層４にはまた、第２の情報記録層５が積層されている。なお、中間層４は通常粘着剤や紫外線硬化樹脂からなる。また、第２の情報記録層５は、例えばポリカーホネートからなる第２の基板６により覆われている。
【００１６】
なお、光ディスク１において、情報記録層３および５は、例えば共に金属を材料とした反射膜による再生専用層でも良いし、例えば共に相変化膜を材料とした記録再生可能層であっても良い。また、光ディスク１において、２つの記録層３または５の一方のみが再生専用層でもう一方が記録再生可能層であっても良い。
【００１７】
光ディスク１は、上述したように、第１の基板２から第２の基板６までを順に積層しても、基板２（または６）の一方の面に、情報記録層３（または５）を所定厚さに形成した２枚の基板を中間層４に接着性のある材料を用いて反対向きに貼り合わせても、形成可能である。なお、情報記録層が片面に形成された基板の厚さは約０．６ｍｍで、光ディスク１の全体の厚さは約１．２ｍｍ（基準基板厚）である。
【００１８】
上述した光ディスク１は、いわゆる片面２層ディスクであり、第１の情報記録層３は、半導体レーザ装置２０から出力されるレーザ光の波長に対して所定の透過率を示す半透明性である。従って、第１の情報記録層３は、一定量の光を反射すると共に残りの光を透過できる。このため、光ディスク１は、基板２側から光を照射させた場合に、第１の記録層３と第２の記録層５のいずれか一方に焦点を合わせる（対物レンズ２４を介してレーザ光１００に与えられた集束性によりレーザ光１００が集光される位置、に対する対物レンズ２４と光ディスク１との間の距離をいずれか一方の記録層３または５に一致するよう対物レンズ２４の位置を制御する）ことで、どちらか一方の情報記録層３または５に、情報を記録し、またはいずれか一方の記録層から情報を再生できる。
【００１９】
なお、中間層４は、一方の情報記録層３（または５）から情報を再生している場合に、他方の情報記録層５（または３）からの情報の漏れ込み（クロストーク）を光学的に遮断する役割を持つ。その意味では、２層の情報記録層３および５の間隔は、できるだけ離れていた方がよく、中間層４の厚さは、厚い方がよいことになる。しかし、その場合には、記録再生する光学系に負担がかかることになる。
【００２０】
すなわち、図２により以下に説明する対物レンズの負荷として、基板２の表面から中間層４の中心までの厚さを規定した場合は、どちらの情報記録層３（５）に情報を記録し、または記録層から情報を再生する場合でも、中間層４の半分の厚さの厚み誤差による収差が発生するからである。
【００２１】
従って、記録再生光学系の収差という観点からは、中間層４の厚さは薄い方が良いことになる。つまり、中間層４の厚さは、情報記録層３および５間のクロストークと記録再生光学系の収差におけるトレードオフ関係の妥協点に定められることになる。
【００２２】
図２は、図１に示した光ディスクに情報を記録し、あるいは光ディスクから情報を再生する光ヘッド装置の一例を説明する概略図である。なお、図２においては、光ヘッド装置の主要部のみを説明している。
【００２３】
図２に示されるように、光ヘッド装置１１は、例えば４００ｎｍ〜４１０ｎｍの紫色の光ビームすなわちレーザ光を出力する半導体レーザ（光源）２０を有する。なお、レーザ光の波長は、４４０ｎｍ以下であればよく、一例を示すと、４０５ｎｍである。
【００２４】
半導体レーザ２０から出射されたレーザ光１００は、コリメートレンズ２１によりコリメートされて平行光となり、偏光ビームスプリッタ２２およびλ／４板２３を透過し、対物レンズ２４により、図２により以下に説明する光ディスク１の記録面に案内される。
【００２５】
光ディスク１に案内されたレーザ光１００は、対物レンズ２４と光ディスク１との間の距離と対物レンズ２４により与えられた集束性により、第１または第２の記録層のいずれか一方に、集光される。
【００２６】
光ディスク１の記録層に集光されたレーザ光１００は、記録層で反射され、反射レーザ光１０１として対物レンズ２４に戻され、λ／４板２３を透過して偏光ビームスプリッタ２２に戻される。
【００２７】
偏光ビームスプリッタ２２に戻された反射レーザ光１０１は、偏光ビームスプリッタ２２の偏光面で集光レンズ２５に向けて反射され、集光レンズ２５により与えられる集束性により規定される焦点距離に応じたビームスポットサイズの集束光として、光検出器２６の受光面に結像される。
【００２８】
光検出器２６の受光部は、通常複数に分割されており、それぞれの受光部から光強度に応じた電流を出力する。個々の受光部から出力された電流は、図示しないＩ／Ｖアンプにより電圧に変換された後、演算回路２７により、ＨＦ（再生）信号、フォーカス誤差信号およびトラック誤差信号等に利用可能に、演算処理される。なお、ＨＦ（再生）信号は、詳述しないが、所定の信号形式に変換され、もしくは所定のインタフェースを通じて、例えば一時記憶装置または外部記憶装置等に出力される。
【００２９】
演算回路２７により得られた信号のうち、フォーカス誤差信号およびトラック誤差信号は、サーボドライバ２８により、対物レンズ２４の位置を変位させるアクチュエータ２９を動作させるためのフォーカス制御信号およびトラック制御信号として利用可能に、変換され、アクチュエータ２９に供給される。従って、アクチュエータ２９に保持された対物レンズ２４は、光ディスク１の情報記録層３（または５）に対して、接近／離脱する方向である上下方向、およびまたはディスクラジアル方向に、任意に移動される。すなわち、対物レンズ２４は、サーボドライバ２８によって、光ディスク１上の情報トラックに追従するように制御される。
【００３０】
次に、記録層が２層以上のＤＶＤ規格の光ディスクのうちで、特に次世代ＤＶＤ（以下、ＨＤ  ＤＶＤと示す）と呼ばれる新規格の光ディスクに情報を記録し、あるいは情報を再生するために、光ヘッド装置１１のさまざまな要素を最適化することを考える。
【００３１】
ＨＤ  ＤＶＤの仕様として、例えば光源（半導体レーザ装置の出力）波長４０５ｎｍ、対物レンズ２４の開口数ＮＡをＮＡ＝０．６５とすると、先に説明した光ディスク１の中間層４の厚さは、以下に説明するように、上述したトレードオフを考慮して、例えば１５μｍ〜２５μｍ程度が適当である。なお、以下に説明する中間層４の厚さに関する条件は、３層以上の情報記録層を持つ光ディスクすなわち中間層が２層以上になる光ディスクにも適用可能である。
【００３２】
図３を用いて、２層光ディスクを再生した場合の層間クロストークについて説明する。なお、図３では、２つの記録再生層を持つ場合を例としたが、３以上の記録層を持つ場合にも同様である。
【００３３】
図３（ａ）に示すように、対物レンズ２４から遠い側の記録再生層５（Ｌ１）に、対物レンズ２４により集束性が与えられたレーザ光が集光されている場合、情報記録層５（Ｌ１）から反射した反射レーザ光１０１（実線）は、対物レンズ２４を透過した後、平行光となり、集光レンズ２５で集光され、光検出器２６付近の所定の位置で焦点を結ぶ。このとき、対物レンズ２４に近い側の情報記録層３（Ｌ０）から反射された反射レーザ光１０１（点線）は、情報記録層５（Ｌ１）からの反射光が焦点を結ぶ位置よりもさらに離れた位置で焦点を結ぶ。
【００３４】
一方、図３（ｂ）に示すように、対物レンズ２４に近い側の記録再生層３（Ｌ０）に、対物レンズ２４により集束性が与えられたレーザ光が集光されている場合、情報記録層３（Ｌ０）から反射した反射レーザ光１０１（実線）は、対物レンズ２４を透過した後、平行光となり、集光レンズ２５で集光され、光検出器２６付近の所定の位置、すなわち、図３（ａ）に示した情報記録層５（Ｌ１）からの反射レーザ光１０１が焦点を結ぶ位置と実質的に同じ位置で焦点を結ぶ。この場合、対物レンズ２４から遠い側の情報記録層５（Ｌ１）から反射された反射レーザ光１０１（点線）は、情報記録層３（Ｌ０）からの反射光が焦点を結ぶ位置よりも手前すなわち集光レンズ２５側に焦点を結ぶ。
【００３５】
このような反射レーザ光を提供する光ディスク（２層）に対し、例えばフォーカス誤差を検出するために非点収差法を用い、フォーカス用の光検出器とＲＦ（再生信号）用の光検出器とを兼用した光ヘッド装置のように、光検出器の位置を集光レンズ２５の焦点位置とは異なる位置に（図３（ａ）および（ｂ）に１２６として記載した点線位置）に、光検出器２６の受光面を位置することを考える。この場合、Ｌ１（第１の記録層５）に集光している場合にクロストークとなるＬ０（第２の記録層３）からの反射レーザ光の断面ビームサイズと、Ｌ０（第２の記録層３）に集光している場合のＬ１（第１の記録層５）からの反射レーザ光の断面ビームサイズは、図３（ａ）および図３（ｂ）に「Ｓ１，Ｓ０」で示される通り、大きく異なる。
【００３６】
換言すると、非記録再生層からのクロストークの量（大きさ）は、対物レンズ２４により、現在レーザ光が集光されている記録層（フォーカスがあっている、すなわちオンフォーカスである）に依存して、異なる。
【００３７】
このことは、図４に、曲線Ａ（○と点線）により示したＬ０に集光している場合のＬ１からの反射レーザ光によるクロストーク量ＣＴ１、および曲線Ｂ（△と点線）により示したＬ１に集光している場合のＬ０からの反射レーザ光によるクロストーク量ＣＴ０から明らかである。なお、図４では、横軸を２つの層の間の中間層４の厚さとしてプロットしている。
【００３８】
曲線Ａおよび曲線Ｂから、２つのクロストーク（ＣＴ１とＣＴ０）の信号振幅の値は、大きく乖離していることが認められる。このため、光ディスク装置としては、大きいほうのクロストーク量を考慮してダイナミックレンジを設計しなければならず、ノイズが増大する要因となる。
【００３９】
これに対し、図３（ａ）および（ｂ）に、２６と示した実線位置すなわち点線１２６で示した位置よりも集光レンズ２５の焦点位置に近いところに光検出器２６を位置させることを考える。この場合、図３（ａ）および（ｂ）から明らかなように、Ｌ１に集光している場合のＬ０からの反射レーザ光のビームスポットの大きさと、Ｌ０に集光している場合のＬ１からの反射レーザ光のビームスポットの大きさは、概ね同じ大きさとなる。また、それぞれの反射レーザ光に対するクロストーク量も、図４に、曲線ａ（○と実線すなわちＣＴ１）と曲線ｂ（△と実線すなわちＣＴ０）により示したように、Ｌ０に集光している場合のＬ１からの反射レーザ光によるクロストーク量ＣＴ１とＬ１に集光している場合のＬ０からの反射レーザ光によるクロストーク量ＣＴ０との差は、先に曲線Ａおよび曲線Ｂに示した例に比較して、小さくなる。
【００４０】
これにより、２つの記録層からの漏れこみによるクロストーク量を、現在、記録または再生している層にかかわりなく、概ね一定の範囲に設定できる。この場合、光ディスク装置としてのクロストーク量の最大値も低減することができる。なお、クロストーク量の差は、ノイズを除去する回路およびダイナミックレンジの観点から２倍以下とするのが適当である。
【００４１】
しかしながら、図４に曲線ａ（○と実線すなわちＣＴ１）および曲線ｂ（△と実線すなわちＣＴ０）で示したクロストーク量を実現できる信号再生系（図２に示した光ヘッド装置１１において、対物レンズ２４、集光レンズ２５および光検出器２６）では、トラック誤差を検出するための信号の大きさが小さくなることが知られている。
【００４２】
このため、より好適には、光検出器２６の受光部の大きさを、例えばＪＩＳ（日本工業規格）ＪＩＳ  Ｘ  ６２４１：１９９７により規定されているＡ／Ｍ２（光検出器の受光部の面積Ａ）と検出横倍率Ｍ（対物レンズ２４の焦点距離ｆｏに対する集光レンズ２５の焦点距離の比）の二乗の比）で求めることのできる大きさとすることが好ましい。例えば、集光レンズ２５の焦点距離ｆｃを８０ｍｍ、光検出器の受光部の面積Ａを１６９００［μｍ２］，横倍率Ｍを２６．６７とすると、Ａ／Ｍ２は、    
Ａ／Ｍ２＝１６９００／（２６．６７）２＝２３．７６≒２３．８［μｍ２］となる。
【００４３】
また、図５にΔで示すように、集光レンズ２５の焦点位置に対して−１ｍｍ（「−」は手前側すなわち集光レンズ２５側を示す）の位置に、光検出器２６の受光面を位置させることが好ましい。なお、図５にΔで示した位置に光検出器２６の受光面を配置した場合の層間クロストークの量すなわちＬ０に集光している場合のＬ１からの反射光によるクロストーク量ＣＴ１とＬ１に集光している場合のＬ０からの反射光によるクロストーク量ＣＴ０との差（倍率）は、図６に示すように、記録層３，５間の中間層４の厚さに拘わりなく、概ね２倍に収まることが確認されている。
【００４４】
図７は、図４〜図６を用いて説明した好適な光検出器の位置の条件を満足する光ヘッド装置の一例を示す概略図である。なお、図２により概略を説明した構成（要素）と同じか類似した構成（構成）には、７００を付加した符号を付して詳細な説明を省略する。
【００４５】
図７に示されるように、光源（半導体レーザ装置）７２０を出射された波長４０５ｎｍのレーザ光は、コリメータレンズ７２１でコリメートされて平行光となり、偏光ビームスプリッタ７２２、λ／４板７２３を通って、対物レンズ７２４に案内される。対物レンズ７２４に案内されたレーザ光は、対物レンズ７２４において所定の集束性が与えられ、光ディスク１の第１の記録層３（対物レンズ側（Ｌ０）または第２の記録層５（中間層４よりも奥側の（Ｌ１））のいずれかに集光される。
【００４６】
光ディスク１の第１または第２の記録層３（Ｌ０）または５（Ｌ１）で反射された反射レーザ光は、対物レンズ７２４により捉えられ、λ／４板７２３を通過され、偏光ビームスプリッタ７２２により、ビームスプリッタ７３０に向けて反射される。
【００４７】
偏光ビームスプリッタ７２２により反射された反射レーザ光は、集光レンズ７２５にて所定の集束性が与えられた後、ビームスプリッタ７３０により、２つに分割され、例えばフォーカス誤差信号の生成に利用される第１の光検出器７３１およびトラック誤差信号の生成に利用される第２の光検出器７３２に、それぞれ集光される。
【００４８】
なお、第２の光検出器７３２すなわちトラック誤差検出用の光検出器は、図５を用いて説明した上述の位置、すなわち光検出器の面積Ａと対物レンズの焦点距離ｆｏに対する集光レンズの焦点距離の比Ｍの二乗の比であるＡ／Ｍ２で、２３．８［μｍ２］の面積の受光面を有する光検出器を、集光レンズの焦点位置ｆｃに対して−１ｍｍとした位置に位置されることが好ましい。このことは、トラック誤差信号を得るための光検出器７３２は、その検出原理および検出精度から、ダイナミックレンジを抑えることができることに起因している（２チャンネル検出器において、どちらのチャンネルが「＋」あるいは「−」であるかが特定できればよい）。
【００４９】
また、トラック誤差検出用の第２の光検出器７３２の出力は、例えば図示しない加算器により加算され、ＲＦ（再生）信号として所定の規則に従い、もしくは所定のインタフェースを介して信号処理され、図示しない一時記憶装置、あるいは外部記憶装置に出力される。
【００５０】
ところで、検出系（集光レンズ）の焦点位置付近に光検出器を位置させる方法としては、例えばホログラム等の波面変換素子を用いることが有効である。すなわち、通常の非点収差光学系では、光検出器を集光レンズの焦点位置に位置させることは困難である。
【００５１】
また、例えばナイフエッジ法によりフォーカス誤差を検出する場合、波面変換手段を用いないならば、ＲＦ信号を検出する光検出器の出力によりトラッキングエラー信号も得ることになるため、光検出器の受光面上でのビームスポットの大きさが非常に小さくなり、対物レンズのオフセット等の影響をうけやすくなってしまう。
【００５２】
図８は、図７に示した光ヘッド装置に波面変換手段を用いる例を説明している。なお、図２および図７により概略を説明した構成（要素）と同じか類似した構成（構成）には、８００を付加した符号を付して詳細な説明を省略する。
【００５３】
図８に示されるように、光源（半導体レーザ装置）８２０を出射された波長４０５ｎｍのレーザ光は、コリメータレンズ７２１でコリメートされて平行光となり、偏光ビームスプリッタ８２２、λ／４板８２３を通って、対物レンズ８２４に案内される。対物レンズ８２４に案内されたレーザ光は、対物レンズ８２４において所定の集束性が与えられ、光ディスク１の第１の記録層３（対物レンズ側（Ｌ０）または第２の記録層５（中間層４よりも奥側の（Ｌ１））のいずれかに集光される。
【００５４】
光ディスク１の第１または第２の記録層３（Ｌ０）または５（Ｌ１）で反射された反射レーザ光は、対物レンズ８２４により捉えられ、λ／４板８２３を通過され、偏光ビームスプリッタ８２２により、光検出器８４０に向けて反射される。
【００５５】
偏光ビームスプリッタ８２２により反射された反射レーザ光は、集光レンズ８２５にて所定の集束性が与えられた後、光検出器８４０と集光レンズ８２５との間の所定の位置に設けられた波面変換素子すなわちホログラム素子８５０により、光検出器８４０の所定の位置に向けて進行方向が変化され、図示しないが、光検出器８４０の、例えばフォーカス誤差信号の生成に利用されるフォーカス誤差検出用の光検出領域並びに、例えばトラック誤差信号の生成に利用されるトラック誤差検出用の光検出領域に、それぞれ集光される。また、トラック誤差検出用の光検出領域からの出力は、例えば図示しない加算器により加算され、ＲＦ（再生）信号として所定の規則に従って、もしくは所定のインタフェースを介して信号処理され、図示しない一時記憶装置、あるいは外部記憶装置に出力される。
【００５６】
なお、ホログラム素子８５０は、詳述しないが、例えばフォーカス誤差検出方式としてナイフエッジ法を、トラック誤差検出方式としてプッシュプル法を、それぞれ用いることを想定して、集光レンズ８２５により所定の集束性が与えられた反射レーザ光に、特定の断面ビーム形状（ビームスポットサイズ）を与えることのできるパターンが与えられているものとする。また、フォーカス誤差検出方式ならびにトラック誤差検出方式は、周知のさまざまな方式が利用可能である。
【００５７】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【００５８】
例えば、発明の詳細な説明においては、光ディスク装置を例に、本発明の実施の形態を説明したが、記録媒体として光ディスクを用いる動画撮影用カメラや、音楽データを収容する携帯用の音響機器等にも適用可能であることはいうまでもない。
【図面の簡単な説明】
【００５９】
【図１】この発明の実施の形態が適用される光ヘッド装置に利用可能な記録媒体（光ディスク）の一例を説明する概略図。
【図２】この発明の実施の形態が適用される光ヘッド装置の要部を説明する概略図。
【図３】図１に示した光ディスクおよび図２に示した光ヘッド装置により、２層の記録層からの反射レーザ光を得る場合に層間クロストークが生じる理由を説明する概略図。
【図４】図３により説明した層間クロストークの大きさが光ディスクの記録層の層間距離である中間層の厚さおよび光検出器の位置に依存して変化する例を説明するグラフ。
【図５】図３により説明した層間クロストークの大きさに基づいて規定される光検出器の受光面の好適な位置の一例を説明する概略図。
【図６】図５により説明した位置に光検出器を設けることにより層間クロストークの程度（大きさ）の差が抑制された結果を説明する概略図。
【図７】図４〜図６を用いて説明した好適な光検出器の位置の条件を満足する光ヘッド装置の一例を示す概略図。
【図８】図４〜図６を用いて説明した好適な光検出器の位置の条件を満足する光ヘッド装置の一例を示す概略図。
【符号の説明】
【００６０】
１…光ディスク（記録媒体）、２…基板、３…第１の記録層（記録層（Ｌ１））、４…中間層、５…第２の記録層（記録層（Ｌ０））、６…基板、１１…光ヘッド装置、２０，７２０，８２０…半導体レーザ装置、２１，７２１，８２１…コリメートレンズ、２２，７２２，８２２…偏光ビームスプリッタ、２３，７２３，８２３…λ／４板、２４，７２４，８２４…対物レンズ、２５，７２５，８２５…集光レンズ、２６…光検出器、２７…演算回路、２８…サーボドライバ、２９…アクチュエータ、７３０・・・ビームスプリッタ、７３１・・・フォーカス誤差検出用光検出器、７３２・・・トラック誤差検出用光検出器、８４０・・・光検出器、８５０・・・ホログラム（波面変換手段）。
【図１】
2006018877.tif 000003
【図２】
2006018877.tif 000004
【図３】
2006018877.tif 000005
【図４】
2006018877.tif 000006
【図５】
2006018877.tif 000007
【図６】
2006018877.tif 000008
【図７】
2006018877.tif 000009
【図８】
2006018877.tif 000010